(57)【要約】  【課題】互いに逆位相の交流電源で駆動されている伝送装置同士が伝送線を通じて信号を送受信しても、伝送線のリーク電流による信号伝送のノイズ障害を抑制し得る信号伝送システムを提供する。  【解決手段】外部の交流電源に接続され、給電機能を有した第１の信号伝送装置と、外部の交流電源に接続され、給電機能のない第２の信号伝送装置とを接続し、第１の信号伝送装置から第２の信号伝送装置に伝送線を通じて相互に信号を伝送するようにした信号伝送システムであって、第１の信号伝送装置、第２の信号伝送装置のいずれもが、一対の電源端子のそれぞれに、一端をその装置のグランドレベルに接続したコンデンサを接続し、該一対の電源端子より交流電源の供給を受けて直流電源を生成するための電源部と、伝送トランスを有し、伝送線に接続される一対の送受信端子を、直流遮断コンデンサを介在させて、該伝送トランスの２次巻線から導出させた伝送回路部とを備えた構成にしている。【選択図】  図１
2005184136.tif 000002
【特許請求の範囲】
【請求項１】
外部の交流電源に接続され、給電機能を有した第１の信号伝送装置と、外部の交流電源に接続され、給電機能のない第２の信号伝送装置とを接続し、第１の信号伝送装置から第２の信号伝送装置に伝送線を通じて相互に信号を伝送するようにした信号伝送システムであって、
上記第１の信号伝送装置は、
一対の電源端子のそれぞれに、一端をその装置のグランドレベルに接続したコンデンサを接続し、該一対の電源端子より交流電源の供給を受けて直流電源を生成するための電源部と、
伝送トランスを有し、伝送線に接続される一対の送受信端子を、直流遮断コンデンサを介在させて、該伝送トランスの２次巻線から導出させており、上記電源部から直流電源を受けて作動される伝送回路部と、
上記電源部をチョークコイルを介して、上記一対の送受信端子に接続して、上記伝送線に給電する給電部とを備え、かつ
上記第２の信号伝送装置は、
一対の電源端子のそれぞれに、一端をその装置のグランドレベルに接続したコンデンサを接続し、該一対の電源端子より交流電源の供給を受けて直流電源を生成するための電源部と、
伝送トランスを有し、伝送線に接続される一対の送受信端子を、直流遮断コンデンサを介在させて、該伝送トランスの２次巻線から導出させており、上記電源部から直流電源を受けて作動される伝送回路部とを備えていることを特徴とする、
信号伝送システム。
【請求項２】
請求項１において、
上記信号伝送システムは、更に、第３の信号伝送装置を含んでおり、
この第３の信号伝送装置は、
上記一対の送受信端子に接続された整流回路を含んだ受電部と、
伝送トランスを有し、伝送線に接続される一対の送受信端子を、直流遮断コンデンサを介在させて、該伝送トランスの２次巻線から導出させており、上記電源部から直流電源を受けて作動される伝送回路部とを備えていることを特徴とする、
信号伝送システム。
【請求項３】
請求項１、２において、
上記第１、第２の信号伝送装置のそれぞれの伝送回路部に含まれる伝送トランスには、各々の２次側巻線を所定の巻線比に区分するタップを設けてグランドレベルに接続している、信号伝送システム。
【請求項４】
請求項１、２において、
上記タップが中点タップを構成している、信号伝送システム。
【発明の詳細な説明】
【技術分野】
【０００１】
本発明は、交流外部電源で駆動される信号伝送装置に関し、特に、信号伝送の対象となる伝送装置に、極性の反転された交流電源が供給されたときにも、伝送線を流れるリーク電流によるノイズの影響を抑制した信号伝送システムに関する。
【背景技術】
【０００２】
図１３は、信号伝送システムとして、テレビインターホンシステムを説明する図面である。
このシステムは主に家庭用であり、一対の伝送線３を介して互いに並列接続されているモニタ付親機１００ａ、モニタ付副親機１００ｂは、電源コンセント２ａ、２ｂへ電源コード先端のプラグを差し込まれ、商用１００Ｖの単相交流電源を受けて動作している。
モニタ付親機１００ａは、例えば居間に設置されており、住戸の門扉に設置されているカメラ付子機４００の呼出ボタン４０１の押下を検知すれば、スピーカ１２８ａを鳴動させて来客を家人に報知し、ＬＣＤモニタ１２６ａを起動して、カメラ付子機４００のカメラ４０２で撮影した来客の映像表示を開始する。このような来客の呼出しに対して、家人がモニタ付親機１００ａの操作ボタン１２４ａによって応答操作すれば、来客とのハンズフリー通話を開始させる。
一方のモニタ付副親機１００ｂは、台所に配置されており、モニタ付親機１００ａと同等の機能を有する。通話副親機１００ｃは、居室に配置されており、カメラ付子機４００のカメラ４０２で撮影した訪問者の映像表示を表示する機能はないが、それ以外の機能は、モニタ付親機１００ａと同等である。更に、モニタ付親機１００ａ、モニタ付副親機１００ｂ、通話副親機１００ｃは、互いに内線通話をすることもできる。
【０００３】
このようなインターホンシステムでは、伝送線３には、音声信号、映像信号、制御信号が、図１２のように周波数分割多重方式で送受信されており、その信号のうち、音声信号は、周波数変調されないベースバンド信号となっている。
特許文献１には、このようなインターホンシステムにおいて、モニタテレビ回路部と電話回路部との間の信号伝送を、交流電源に対して高インピーダンスを有した絶縁トランスやフォトカプラを介して行なうことによって、電話回線側の接地と交流電源側の接地とを完全に分離させたモニタテレビ付電話機が提案されている。
【特許文献１】特開平６−１１３０２６号
【発明の開示】
【発明が解決しようとする課題】
【０００４】
ところで、一般の家庭などでは、単相３線式電力線の中性線（０）と２本の電圧線（＋、−）の一方を組み合わせて１００Ｖのコンセントとしており、電圧線（＋）と電圧線（−）は、互いに逆位相の交流電圧となっている。
そのため、家屋の各コンセントには、その２通りの組み合わせ、すなわち中性線（０）−電圧線（＋）、中性線（０）−電圧線（−）いずれかが配線施工され、このとき、前者の組み合わせを配線されたコンセントと、後者の組み合わせを配線されたコンセントとは、互いに逆位相の交流電源となる。
従って、このような場合には、モニタ付親機１００ａとモニタ付副親機１００ｂとの配置により、それらが互いに逆位相の交流電源で駆動される場合が起き、そのような電源供給を受けたモニタ付親機１００ａと、モニタ付副親機１００ｂとにはグランドレベル間の電圧差が交流電源周期で発生し、伝送線３にリーク電流を生じさせる。そして、この場合のリーク電流は、電圧線（＋）→モニタ付親機１００ａのグランドレベル→伝送線３→モニタ付副親機１００ｂのグランドレベル→電圧線（−）の経路を交流電源の周波数で往復し、このリーク電流の高調波が信号伝送にノイズ障害を起こし、特に通話音声に電源周波数の高調波成分を含むノイズが発生してしまうなどの問題があった。
しかしながら、前述の特許文献１では、伝送装置内部において、電話回線側の接地と交流電源側の接地とが交流電源に対して分離されるので、電話回線側の接地電位と交流電源側の接地電位との電位差に起因する雑音電流を遮断する利点はあるが、互いに逆位相の外部電源に接続された信号伝送装置間の伝送線を流れるリーク電流については何ら考慮されていない。
【０００５】
本発明は、このような事情に鑑み、互いに逆位相の交流電源で駆動されている伝送装置同士が伝送線を通じて信号を送受信しても、伝送線のリーク電流による信号伝送のノイズ障害を抑制し得る信号伝送システムを提供することを目的としている。
また、伝送線から電源を供給される信号伝送装置を付加して、同様なノイズ障害が抑制できる信号伝送システムを提供することを目的としている。
【課題を解決するための手段】
【０００６】
上記の課題を解決するために、本発明の請求項１では、外部の交流電源に接続され、給電機能を有した第１の信号伝送装置と、外部の交流電源に接続され、給電機能のない第２の信号伝送装置とを接続し、第１の信号伝送装置から第２の信号伝送装置に伝送線を通じて相互に信号を伝送するようにした信号伝送システムを提案しており、このシステムにおいては、上記第１の信号伝送装置は、一対の電源端子のそれぞれに、一端をその装置のグランドレベルに接続したコンデンサを接続し、該一対の電源端子より交流電源の供給を受けて直流電源を生成するための電源部と、伝送トランスを有し、伝送線に接続される一対の送受信端子を、直流遮断コンデンサを介在させて、該伝送トランスの２次巻線から導出させており、上記電源部から直流電源を受けて作動される伝送回路部と、上記電源部をチョークコイルを介して、上記一対の送受信端子に接続して、上記伝送線に給電する給電部とを備えており、かつ、上記第２の信号伝送装置は、一対の電源端子のそれぞれに、一端をその装置のグランドレベルに接続したコンデンサを接続し、該一対の電源端子より交流電源の供給を受けて直流電源を生成するための電源部と、伝送トランスを有し、伝送線に接続される一対の送受信端子を、直流遮断コンデンサを介在させて、該伝送トランスの２次巻線から導出させており、上記電源部から直流電源を受けて作動される伝送回路部とを備えている。
【０００７】
また、請求項２では、請求項１において、上記信号伝送システムは、更に、第３の信号伝送装置を含んでおり、この第３の信号伝送装置は、上記一対の送受信端子に接続された整流回路を含んだ受電部と、伝送トランスを有し、伝送線に接続される一対の送受信端子を、直流遮断コンデンサを介在させて、該伝送トランスの２次巻線から導出させており、上記電源部から直流電源を受けて作動される伝送回路部とを備えている。
請求項３では、請求項１、２において、上記第１、第２の信号伝送装置のそれぞれの伝送回路部に含まれる伝送トランスには、各々の２次側巻線を所定の巻線比に区分するタップを設けてグランドレベルに接続しており、また請求項４では、上記タップがノイズ抑制効果に最も優れた中点タップを構成している。
【発明の効果】
【０００８】
請求項１に記載の信号伝送システムによれば、互いに逆位相の外部電源に接続された信号伝送装置の一方と、他方との間で信号を送受信しても、伝送トランスによって信号伝送装置と伝送線を絶縁しているから、リーク電流が伝送線を流れるのを抑制して、信号伝送のノイズ障害の発生が抑制できる。
請求項２によれば、第１の信号伝送装置から給電を受けて作動する第３の信号伝送装置を伝送線に接続付加して、信号伝送システムをすることができ、その場合にも請求項１と同様なノイズ抑制効果が得られる。
更に請求項３〜４によれば、第１、第２の信号伝送装置のグランドレベル間のインピーダンスを低くすることによって、信号伝送のノイズ障害の防止が顕著となる。
このように、本発明によれば、伝送線を通じる信号にノイズが乗ることを効果的に防止できるので、ノイズの影響の少ない音声スイッチ型、同時通話型のハンズフリーインターホンシステムが実現できる。
【発明を実施するための最良の形態】
【０００９】
以下、本発明の信号伝送システムの一実施例を図について説明する。
図１は、インターホンシステムに適用した場合に、システムを構成するモニタ付親機１ａ、モニタ付副親機１ｂの接続関係を示す図、図１Ａは、さらに通話副親機１ｃを付加してシステムを構成した場合の接続関係を説明する図面である。
これらの図において、モニタ付親機１ａの一対の電源端子Ｔ１ａ、Ｔ２ａは、単相３線式電力線の地面接地された中性線（０）と電圧線（＋）による交流電源と接続され、モニタ付副親機１ｂの一対の電源端子Ｔ１ｂ、Ｔ２ｂは、単相３線式電力線の中性線（０）と電圧線（−）による交流電源と接続されている。より具体的には、モニタ付親機１ａから導出される電源コードのプラグが差し込まれた電源コンセント２ａには、１００Ｖ交流電源として、家屋分電盤から単相３線式電力線の中性線（０）と電圧線（＋）が配線施工されており、モニタ付副親機１ｂから導出される電源コードのプラグが差し込まれた電源コンセント２ｂには、単相３線式電力線の中性線（０）と電圧線（−）が配線施工されている。
従って、中性線（０）は地面接地され、一方の電圧線（＋）と他方の電圧線（−）は、互いに反転位相の１００Ｖ交流電圧が印加されているから、モニタ付親機１ａとモニタ付副親機１ｂとは、互いに逆位相の交流電圧を供給されている。
ここで、モニタ付親機１ａの交流電源の電圧線（＋）が正電圧位相であるときには、電源部１１の２つのコンデンサＣ１あるいはＣ２による電圧線（＋）との容量結合によって、そのグランドレベル（Ｇ１）は平衡点の電圧より高くなる一方、モニタ付副親機１ｂの交流電源の電圧線（−）は負電圧位相であるので、同様に容量結合によって、そのグランドレベル（Ｇ２）は平衡点の電圧より低くなるが、通話副親機１ｃは、伝送線３を介してモニタ付親機１ａから電源を受けて動作しているので、モニタ付親機１ａにおけるグランドレベル（Ｇ１）が平衡点の電圧より高くなれば、そこから電源を受けている通話副親機１ｃのグランドレベル（Ｇ３）も同時に平衡点の電圧より高くなる。
従って、このような状態で、通話副親機１ｃとモニタ付副親機１ｂとが伝送線３を通じて内線通話を行うなどして信号を送受信すれば、通話副親機１ｃとモニタ付親機１ｂのグランドレベルＧ１，Ｇ３間の電圧差は、伝送線３を流れる電源周波数の交流リーク電流を生じさせる原因となる。そして、このリーク電流が高調波成分を有しておれば、低周波数側のベースバンドで伝送される音声信号が、高周波に変調されている映像信号や制御信号よりも大きく影響を受けることが充分に予測される。
【００１０】
しかしながら、本発明の実施例によれば、そのような伝送信号の電圧差の変化は、通話副親機１ｃにおける伝送回路部１２の伝送トランスＴによって遮断され、伝送線３へリーク電流として伝播することが抑制されるとともに、受話側のモニタ付副親機１ｂにおける伝送回路部１２の伝送トランスＴも同様にリーク電流を抑制する。
従って、リーク電流が伝送線３を伝播し、このリーク電流による電圧を音声信号として再生してしまい通話音声が劣化することは起きないから、具体的現象としてのノイズが効果的に抑制される。
【００１１】
図２は、モニタ付親機１ａの構成を説明するブロック図である。
モニタ親機１ａは、交流電源に接続される一対の電源端子Ｔ１ａ、Ｔ２ａと、伝送線３を導出する一対の送受信端子Ｔ３ａ、Ｔ４ａと、交流電源を整流して装置の直流電源と成す電源部１１と、電源部１１から直流電源を受けて作動し、制御部１３と受像部１４と通話部１５とを作動して信号を送受信するための伝送回路部１２Ａを備え、更に、一対の送受信端子Ｔ３ａ、Ｔ４ａから伝送線３を通じて、伝送線３に接続されたカメラ付子機４や通話副親機１ｃのための電源を供給する給電部１６Ａを備えている。
【００１２】
図３は、モニタ付副親機１ｂの構成を説明するブロック図である。
モニタ付副親機１ｂは、給電部１６を有さない点を除けば、モニタ付親機１ａと共通であるので、モニタ付親機１ａと共通の構成要素には同一の参照符号を付け、詳細な説明は省略する。なお、モニタ付副親機１ｂにおいて交流電源と接続される一対の電源端子は、Ｔ１ｂ、Ｔ２ｂであり、伝送線３を導出する一対の送受信端子を導出する端子は、Ｔ３ｂ、Ｔ４ｂである。
【００１３】
図４は、電源部１１の構成を説明するブロック図である。
電源部１１では、一対の電源端子Ｔ１ａ、Ｔ２ａと、内部電源回路としてのスイッチング電源回路２１がコモンモードチョークコイルＬを介して接続されている。スイッチング電源回路２１は、交流電源をスイッチングして、両極性の直流電源を生成出力している。スイッチング電源回路２１は、２つのコンデンサＣ１、Ｃ２を介して、交流電源間を接続しており、それらの共通の接続点を、装置のグランドレベル（Ｇ１）に接続することで、一対の電源端子Ｔ１ａ、Ｔ２ａをグランドレベルに接続されている。
ここに、２つのコンデンサＣ１，Ｃ２は高周波スイッチングノイズを吸収するものであり、２つのコンデンサＣ１，Ｃ２はそれぞれが独立してグランドレベルに接続されていてもよい。なお、内部電源回路は、図例ではスイッチング電源回路２１で構成しているが、そのようなものには限定されず、外部からの交流電源の供給を受けて、整流して、直流電源を出力するものであればよい。
【００１４】
図４Ａは、給電部１６Ａの構成を説明するブロック図である。
給電部１６Ａは、図例では直流電源（Ｖ１、−Ｖ１）が供給され、伝送線３から送受信される信号を遮断するチョークコイルＬ１、Ｌ２を介して、一対の送受信端子Ｔ３ａ、Ｔ４ａと接続されている。
【００１５】
図４Ｂは、給電部の変形例である給電部１６Ｂの構成を説明するブロック図である。
この給電部１６Ｂでは、伝送線３から送受信される信号を遮断するチョークコイルＬ１を介して、直流電源Ｖ１が一方の送受信端子Ｔ３ａと接続され、他方の送受信端子Ｔ４ａは、チョークコイルＬ２を介して、装置のグランドレベル（Ｇ１）に接続されている。このような構成の給電部１６Ｂを用いれば、電源部１１は、正極性の電源（Ｖ１）だけを給電部１６Ｂへ供給すればよいので、簡単な構成の回路とすることができる。
【００１６】
図５は、制御部１３の構成を説明するブロック図である。
制御部１３は、シリアル通信を行う非同期シリアル送受信器２２と、必要な表示をなす表示ＬＥＤ２３と、使用者が操作を入力する操作ボタン２４とが、装置制御を行うＣＰＵ２５に接続されている。ＣＰＵ２５は、ソフトウェアによって装置の他の部分を制御する。
【００１７】
図６は、受像部１４の構成を説明するブロック図である。
受像部１４は、訪問者の映像を表示するＬＣＤモニタ２６がビデオ信号を処理して映像を表示させるビデオ回路２７に接続されて構成されている。
【００１８】
図７は、通話部１５の構成を説明するブロック図である。
通話部１５は、音声を入力して音声信号と成す集音マイク２８が第１の音声スイッチ２９と接続され、音声信号によって鳴動し、音声を出力するスピーカ３０が第２の音声スイッチ３１と接続されている。第１の音声スイッチ２９と第２の音声スイッチ３１は、スイッチ制御回路３２によって利得を調整制御されて、ハンズフリーの相互通話を可能にしている。他の構成として、音声スイッチ２９、３１の代わりにエコーキャンセラを用いた同時通話回路を用いることもできる。
従来、音声スイッチを用いた交互通話回路やエコーキャンセラを用いたハンズフリーインターホンでは、通話中のノイズはその通話信号に隠れているが、無音になって通話信号がなくなると現れていた。そのため通話の語尾や、通話信号のないときにノイズが聞こえたりするなど、特に無音時に気になるようなリーク電流によるノイズ障害の問題があったが、本発明を適用すれば、そのようなノイズ障害は無く、クリアな通話が可能となる
【００１９】
図８Ａ、図８Ｂは伝送回路部の構成を説明するブロック図である。
この図８Ａに示す伝送回路部１２Ａは、一対の送受信端子Ｔ３ａ、Ｔ４ａを２次巻線から導出する伝送トランスＴを有している。この伝送トランスＴは本発明の効果を生じさせる要となる構成要素であり、一対の送受信端子Ｔ３ａ、Ｔ４ａを装置の他の部分から絶縁させる。なお、Ｃａ，Ｃｂは、直流遮断用のコンデンサである。伝送トランスＴの１次巻線の一端は、装置のグランドレベル（Ｇ１）に接続されており、他端は周波数多重化された映像信号、音声信号、制御信号を混合分離する混合分離器３３と接続されている。混合分離器３３は、バンドパスフィルタ回路などで形成されており、制御信号を復変調する制御信号復変調回路３４、映像信号を復調する映像信号復調回路３５、音声信号を増幅通過させる音声増幅回路３６と接続されている。制御信号復変調回路３４は、制御部１３の非同期シリアル送受信器２２と制御信号を送受信する。映像信号復調回路３５は、受像部１４のビデオ回路２７へ映像信号を送信する。音声増幅回路３６は、通話部１５の第１の音声スイッチ２９又は第２の音声スイッチ３１と音声信号を送受信する。
【００２０】
図８Ｂは、伝送回路部の変形例を示すブロック図である。
この図に示す伝送回路部１２Ｂでは、伝送トランスＴ’による浮遊容量Ｃ（図８Ｂにおいては波線で示している）が寄生している場合を考慮して、伝送トランスＴ’の一対の送受信端子Ｔ３ａ、Ｔ４ａを導出する２次側巻線の中点タップＰをグランドレベル（Ｇ１）に接続している。この図では、簡単のために、中点タップPについて説明しているが、このような中点タップには限定されず、同様の目的のために、２次巻線を所定の巻数比に区分するタップを用いても当然構わない。これらのタップは、伝送線を介して互いに信号を伝送する信号伝送装置間で、一対の伝送線の信号レベルをバランスさせるように、各々の信号伝送装置の２次巻線を同じの巻線比に区分する位置から導出される。
【００２１】
図８Ｃは、更に異なる伝送回路部の構成を説明するブロック図である。
この図に示す伝送回路部１２Ｃでは、伝送トランスＴ”の２次巻線から一対の送受信端子Ｔ３ａ、Ｔ４ａを導出させ、伝送トランスＴ”の２次巻線の中点タップＰは、抵抗Ｒを介して、装置のグランドレベル（Ｇ１）に接続されている。抵抗Ｒは、伝送線３に発生したサージによる高電圧が、伝送トランスＴ”の２次側巻線の中点タップＰからグランドレベルＧ１に、そのまま伝播することを抑制するものである。
したがって、このような伝送回路部１２Ｃを備えた信号伝送装置は、伝送線のサージ（落雷によるサージ）による高電圧から充分に保護される。
【００２２】
図９は、通話副親機の構成を説明するブロック図である。
通話副親機１ｃは、伝送線３を接続する一対の送受信端子Ｔ１ｃ、Ｔ２ｃと、送受信端子Ｔ１ｃ、Ｔ２ｃに接続されて装置の直流電源（Ｖ３）を得る受電部１７と、受電部１７から直流電源（Ｖ３）を受けて作動し、制御部１３と通話部１５とが装置外部と信号を送受信するための伝送回路部１２Ａを備えている。
【００２３】
図１０は、受電部１７の構成を説明するブロック図である。
受電部１７は、一対の受信端子Ｔ３ｃ、Ｔ４ｃに接続されて整流する整流回路のダイオードブリッジＤＢと、ダイオードブリッジＤＢに接続されたＤＣ／ＤＣコンバータ１８とを有する。この図では、コンバータ１８からはＶ３の直流電圧が出力されており、装置のグランドはＧ３として示している。
【００２４】
最後に、本発明の伝送装置を適用したテレビインターホンシステムについて説明する。
図１１は、このシステムの全体構成を示している。
このシステムは主に家庭用であり、一対の伝送線３を介して互いに並列接続されているモニタ付親機１ａ、モニタ付副親機１ｂは、電源コンセント２ａ、２ｂへ電源コード先端のプラグを差し込まれ、商用１００Ｖの交流電源を受けている。
モニタ付親機１ａは、例えば居間に設置されており、住戸の門扉に設置されているカメラ付子機４の呼出ボタン４１の押下を検知すれば、スピーカ２８ａを鳴動させて来客を家人に報知し、ＬＣＤモニタ２６ａを起動して、カメラ付子機４のカメラ４２で撮影した来客の映像表示を開始する。そして、家人がモニタ付親機１ａの操作ボタン２４ａによって応答操作すれば、来客とのハンズフリー通話を開始させる。
一方のモニタ付副親機１ｂは、台所に配置されており、モニタ付親機１ａと同等の機能を有する。通話副親機１ｃは、居室に配置されており、カメラ付子機４のカメラ４２で撮影した訪問者の映像表示を表示する機能はないが、それ以外の機能は、モニタ付親機１ａと同等である。更に、モニタ付親機１ａ、モニタ付副親機１ｂ、通話副親機１ｃは、互いに内線通話をすることもできる。
【００２５】
図１２は、テレビインターホンシステムで使用される周波数分割多重方式の信号伝送における各信号帯域を説明する図面である。
伝送線３では、音声信号、映像信号、制御信号が、周波数分割多重方式で送受信されている。その信号のうち、音声信号は、周波数変調されないベースバンド信号になっている。なお、この図は概念的なものであり、音声信号、映像信号、制御信号の帯域、及び信号レベルは同一レベルとして表現されている。
【図面の簡単な説明】
【００２６】
【図１】本発明を適用したハンズフリーインターホンシステムにおける、モニタ付親機とモニタ付副親機との内線通話を説明するブロック図である。
【図１Ａ】本発明を適用した他例のハンズフリーインターホンシステムにおける、モニタ付親機とモニタ付副親機との内線通話を説明するブロック図である。
【図２】本発明の実施例のモニタ付親機の構成を説明するブロック図である。
【図３】本発明の実施例のモニタ付副親機の構成を説明するブロック図である。
【図４】電源部の構成を説明するブロック図である。
【図４Ａ】給電部の構成を説明するブロック図である。
【図４Ｂ】給電部の変形例の構成を説明するブロック図である。
【図５】制御部の構成を説明するブロック図である。
【図６】受像部の構成を説明するブロック図である。
【図７】通話部の構成を説明するブロック図である。
【図８Ａ】伝送回路部の構成を説明するブロック図である。
【図８Ｂ】伝送回路部の変形例の構成を説明するブロック図である。
【図８Ｃ】伝送回路部の別の変形例の構成を説明するブロック図である。
【図９】通話副親機の構成を説明するブロック図である。
【図１０】受電部の構成を説明するブロック図である。
【図１１】本発明を適用したハンズフリーテレビインターホンシステムを説明する概念図である。
【図１２】周波数分割多重方式の信号伝送における各信号帯域を説明する図面である。
【図１３】従来のハンズフリーインターホンシステムを説明する概念図である。
【符号の説明】
【００２７】
１ａ  第１の信号伝送装置（インターホンシステム親機）
１ｃ  第２の信号伝送装置（インターホンシステム副親機）
２ａ〜２ｂ  交流電源（電源コンセント）
３  伝送線
１１  電源部
１２Ａ、１２Ｂ、１２Ｃ  伝送回路部
１７Ａ、１７Ｂ  給電部
１８  受電部
２１  内部電源回路
Ｃ１〜Ｃ４  コンデンサ
ＤＢ  整流回路
Ｌ１〜Ｌ２  チョークコイル
Ｐ  中点タップ
Ｒ  抵抗
Ｔ  伝送トランス
Ｔ１ａ〜Ｔ２ｂ、Ｔ１ｂ〜Ｔ２ｂ、Ｔ１ａ’〜Ｔ２ｂ’、Ｔ１ｂ’〜Ｔ２ｂ’  電源端子
Ｔ３ａ〜Ｔ４ｂ、Ｔ３ｂ〜Ｔ４ｂ、Ｔ３ａ’〜Ｔ４ｂ’、Ｔ３ｂ’〜Ｔ４ｂ’  送受信端子
【図１】
2005184136.tif 000003
【図１Ａ】
2005184136.tif 000004
【図２】
2005184136.tif 000005
【図３】
2005184136.tif 000006
【図４】
2005184136.tif 000007
【図４Ａ】
2005184136.tif 000008
【図４Ｂ】
2005184136.tif 000009
【図５】
2005184136.tif 000010
【図６】
2005184136.tif 000011
【図７】
2005184136.tif 000012
【図８Ａ】
2005184136.tif 000013
【図８Ｂ】
2005184136.tif 000014
【図８Ｃ】
2005184136.tif 000015
【図９】
2005184136.tif 000016
【図１０】
2005184136.tif 000017
【図１１】
2005184136.tif 000018
【図１２】
2005184136.tif 000019
【図１３】
2005184136.tif 000020